(57)【特許請求の範囲】
【請求項１】
内部に塗布液収容部を形成した軸筒の先端開口部に塗布体を配置し、この塗布体と前記塗布液収容部との間に弁機構を配置し、前記塗布液収容部内部に、前記弁機構を開放する弁開放体と、攪拌体とを配置し、前記塗布液収容部の底部に設けた可動部に押圧力を加え、前記弁開放体に前記弁機構開放の前進力を付与してなるノック式塗布具において、前記弁開放体後端部に、その弁開放体に対して長手方向に移動可能に連接した、前記攪拌体との当接部を有する中継部材を、前記当接部が攪拌体と前記可動部との間に位置するよう配置すると共に、前記中継部材の後端部と可動部との間に長手方向における隙間を形成したことを特徴とするノック式塗布具。
【発明の詳細な説明】
【０００１】
【発明の属する技術分野】
本発明は、墨液、絵の具、インキなどの筆記液、アイライナー、リップカラーなどの化粧液、筆跡修正液、接着剤といった塗布液を内蔵したノック式塗布具に関する。
【０００２】
【従来の技術】
従来、内部に塗布液収容部を形成した軸筒の先端開口部にペン先などの塗布体を固着し、この塗布体と前記塗布液収容部との間に弁機構を配置し、前記塗布液収容部内に、前記弁機構を開放する弁開放体と攪拌体とを配置してなる塗布具は、多く提案されている。
この種の塗布具は、軸筒に取り付けたノック部を押圧して軸筒底部に設けた可動部を動かし、塗布液収容部内に配置した弁開放体を前進させることにより、弁機構を開放して塗布液をその収容部から塗布体側に吐出させ塗布可能とするものである。
上記のような塗布具において、塗布液として沈殿が発生するようなものを用いた場合、攪拌体が塗布液収容部内に配置される。この攪拌体は、塗布具を振とうすることによって、塗布液収容部内を激しく移動し、一度発生した沈殿を再分散するという機能を有するものである。
【０００３】
【発明が解決しようとする課題】
ところで、上記攪拌体は再分散に当たって、以下のような不十分な点がある。
例えば、酸化チタンのような比重が大きく沈降しやすいものを配合した塗布液や、シリカ粉のような粒子形状や粒度分布が均一であるとかによって最密充填を形成しやすい固体を配合した塗布液は、沈殿が硬く固まった、いわゆる、ハードケーキ層を作りやすい。
このハードケーキ層に攪拌体の全部または一部が埋没した場合、ハードケーキ層と攪拌体とが密着してしまい、塗布具を振とうしても攪拌体が動きだしにくく、その結果、再分散が容易に行われにくいという問題である。
特に、塗布液収容部が細長い円柱形状をなす、いわゆるペン型である場合、塗布具が塗布先上向きに保管された状態で塗布液が沈降すると、ハードケーキ層の高さが横向きで保管した時と比較して高くなり、上記問題が起こりやくなる。上記の問題を解決するものとしては、弁開放体に、軸筒底部と攪拌体との間で攪拌体が当接する突起を設け、ノックを押圧し弁開放体を前進するとともに攪拌体も前進させ、ハードケーキ層と攪拌体との密着を剥がすことが考えられる。しかしながら、上記の方法では、塗布具の振とうにより攪拌体が塗布液収容部内を激しく移動した際、弁開放体の当接部に攪拌体が衝突する。このとき、突起に加わった衝撃が弁開放体と弁体との接合部に伝わり、弁機構が破損したり、弁開放体と弁体との接合が外れたりするという問題が発生する。
本発明の課題は、弁機構が破損したり、弁開放体と弁体との接合が外れたりするという問題が発生することなく、攪拌体による沈降物の再分散が良好に行い得るノック式塗布具を提供することである。
【０００４】
【課題を解決するための手段】
本発明は、内部に塗布液収容部を形成した軸筒の先端開口部に塗布体を配置し、この塗布体と前記塗布液収容部との間に弁機構を配置し、前記塗布液収容部内部に、前記弁機構を開放する弁開放体と、攪拌体とを配置し、前記塗布液収容部の底部に設けた可動部に押圧力を加え、前記弁開放体に前記弁機構開放の前進力を付与してなるノック式塗布具において、前記弁開放体後端部に、その弁開放体に対して長手方向に移動可能に連接した、前記攪拌体との当接部を有する中継部材を、前記当接部が攪拌体と前記可動部との間に位置するよう配置すると共に、前記中継部材の後端部と可動部との間に長手方向における隙間を形成したことを特徴とするノック式塗布具を要旨とするものである。
【０００５】
【作用】
本発明にかかるノック式塗布具は、攪拌体と当接する突起が弁開放体後端部に連接する中継部材に設けられているため、ノック動作により弁開放体が前方に移動する際、攪拌体も前進するため、ハードケーキ層との密着が剥がれ、塗布具の振とうにより容易に移動する。
さらに、塗布具の振とうにより移動した攪拌体が、中継部材の当接部に衝突しても、弁機構や弁開放体と弁体との接合部に直接、力が加わらず、そのため、弁機構が破損したり、弁開放体と弁体との接合が外れたりすることがない。
【０００６】
【実施例】
以下、本考案を、添付図面を参照して詳細に説明する。図１乃至図３に本発明の実施例１を示す。
図１は実施例１の非ノック時の縦断面図であり、図２は実施例１のノック時の縦断面図である。参照符号１は、内部に塗布液収容部２を形成した後軸である。この後軸１の先端開口部には、前方（図１中上方向）が小径で後方が大径であり、大径部外壁に鍔部３ａを設けた前軸３が、前記鍔部３ａを後軸１先端開口部端面に当接する位置まで挿入固定されている。
【０００７】
この前軸３の先端開口部には、アクリル繊維、ポリエステル繊維、ナイロン繊維、レーヨン繊維などの繊維結束体や、ウレタン系樹脂、ポリエステル系樹脂、ナイロン系樹脂、セラミックなどの成形体などよりなる塗布体４が挿入されている。この先端開口部の内壁には複数のリブ３ｂが軸長手方向に形成されており、このリブ３ｂによって塗布体４は、圧入状態となっている。ただし、塗布体は上記のような構造に限定されるものではなく、鼬、馬、豚などの天然繊維、ナイロン、ポリエチレンテレフタレート、アクリル系繊維などの合成樹脂製繊維、あるいは前記天然筆毛と合成樹脂製筆毛とを混ぜたものなどの繊維を多数、長手方向に収束した筆穂を従来公知の方法で固定した構造などを採用できる。
【０００８】
前軸３と前記塗布液収容部２との間には、弁機構を配置している。この弁機構は、座部５ａを形成してなる蓋体５と、前記座部５ａに弾発的に当接する弁部６ａを形成している弁体６とよりなっている。
【０００９】
蓋体５は、筒状部５ｂと、この筒状部５ｂの内壁に向かって形成された周状突起部５ｃとが形成され、この周状突起５ｃの前方側端面に前記座部５ａが形成されている。この蓋体５は後軸１の内壁に圧入固定され、後軸１内部に形成された塗布液収容部２の蓋体となっている。
【００１０】
弁体６には、前方筒状部６ｂと後方棒状部６ｃとが形成されており、この前方筒状部６ｂと後方棒状部６ｃとの間に弁部６ａが形成されている。そして、弁体６の前方筒状部６ｂと弁部６ａとは、前記蓋体５の、筒状部５ｂ内に摺動自在に配置され、且つ、弁体６はコイルバネなどの弾発部材７によって、後方に付勢されている。
【００１１】
前記弁体６の後方棒状部６ｃは、前記後軸１内に設けた塗布液収容部２内に配置した弁開放体８の前方部に挿入固定されている。この弁開放体８の後方部には、中継部材１０が、前方棒状部１０ａを相対的に長手方向に移動可能に挿入固定し、円盤状の突起１０ｃを前記弁開放体８の後端部に当接して配置されている。ここで、塗布具の組立性を考慮した場合、前記弁開放体８と前記中継部材１０の前方棒状部１０ａとは、前記中継部材１０が自重で外れない程度の力で弁開放体後方に挿入されていることが望ましい。
【００１２】
前記中継部材１０の突起１０ｃは、中継部材１０及び弁開放体８の移動を妨げず、且つ、前記攪拌体９が当接し、前記突起１０ｃより後方に移動しない形状であれば、上記円盤状の形状以外の形状を採用することも可能である。例えば、放射状の円柱や櫛歯状のように塗布液の抵抗を軽減する形状や、前記突起１０ｃの断面形状を、中継部材１０と塗布液収容部２の後端との隙間を小さくし、攪拌体９が直接、粉砕できないケーキ層を少なくするように前記塗布液収容部２の後端に近い形状にするなど構成を採用できる。
【００１３】
この中継部材１０は、その後方棒状部１０ｂを、前記塗布液収容部２後端に形成した筒状部２ａの外側に挿入固定した、可動部材１１内に、前記筒状部２ａを貫通して挿入している。この可動部材１１にはノック冠１２が被冠され、ノック部を構成している。ただし、ノック部は、従来公知の方法を採用できるものであり、実施例に示す構造に限定されるものではない。
【００１４】
また、塗布液収容部２内には、円柱状の攪拌体９が配置されている。前記中継部材１０に設けた突起１０ｃは、本塗布具を、塗布体４が上方になるように静置した際、前記攪拌体９が当接するようなしている。尚、攪拌体９は、球状や板材など従来公知のものが使用可能である。
【００１５】
次に、実施例１のノック式塗布具を使用する場合の作用について説明する。本塗布具を、塗布体上向きで静置した際、攪拌体は中継部材の突起に当接した状態で静止する。このとき、塗布液収容部内に生じたケーキ層の高さが中継部材の突起よりも低い場合、攪拌体はケーキ層の影響を受けない。また、ケーキ層の高さが中継部材の突起よりも高い場合、攪拌体はケーキ層と密着して動きにくくなるが、その状態でノック動作をすることにより、中継部材が連動して前進するため、中継部材の突起に当接した攪拌体も前進し、攪拌体とケーキ層との密着が剥がれて動きやすくなる。
さらに、塗布具を振とうすることによって攪拌体を移動させ、塗布液収容部内にできたケーキ層を粉砕し且つ攪拌せしめてケーキ層を再分散させる。このとき、攪拌体が中継部材の突起に衝突し、中継部材を後方に押し下げる力が生じるが、その際、中継部材が後方に移動して生じた力を逃がすため、弁開放部材には中継部材と弁開放部材との接合力以上に力が加わることはない。ここで、中継部材と弁開放部材との接合力は、弱いものであるため、弁機構が破損したり、弁体と弁開放体との接合が外れたりすることはない。
【００１６】
【発明の効果】
本発明に係る塗布具は、上記のような構成をなしたので、ノック動作により上向き静置の際、塗布液の顔料分が沈降して生じたハードケーキ層と攪拌体との密着を剥がし、攪拌体の動き出しを容易にし、且つ、塗布具の振とうにより、弁機構が破損したり、弁開放体と弁体との接合が外れたりしないため、使用に際してきわめて有用である。
【図面の簡単な説明】
【図１】  実施例の非ノック時の縦断面図である。
【図２】  実施例の振とう時の縦断面図である。
【図３】  実施例のノック時の縦断面図である。
【符号の説明】
１  後軸
２  塗布液収容部
３  前軸
４  塗布体
５  蓋体
６  弁体
７  弾性体
８  弁開放体
９  攪拌体
１０  中継部材
１１  可動部
【図１】
0004362942.tif 000002
【図２】
0004362942.tif 000003
【図３】
0004362942.tif 000004